(57)【要約】【課題】ランスを廃止することができ、構造を簡素にできるハウジング及びコネクタを提供する。【解決手段】コネクタ１１のハウジング２３は、端子収容室１９を区画形成するハウジング２３の隔壁２１に形成され、端子収容室１９に収容された端子３１に向かって突出する突起部１３と、突起部１３が突設された隔壁２１に形成され、突起部１３が端子３１の箱状電気接触部３３を係止して端子の後抜けを規制する接近位置と離反位置との間で変位可能とする可撓性を有した薄壁部１５と、を備える。【選択図】図３
2020126826.tif 000002
【特許請求の範囲】
【請求項１】
端子収容室を区画形成するハウジングの隔壁に形成され、前記端子収容室に収容された端子に向かって突出する突起部と、
前記突起部が突設された前記隔壁に形成され、前記突起部が前記端子の箱状電気接触部を係止して前記端子の後抜けを規制する接近位置と離反位置との間で変位可能とする可撓性を有した薄壁部と、
を備えることを特徴とするハウジング。
【請求項２】
端子収容室を区画形成するハウジングの隔壁に形成され、前記端子収容室に収容された端子に向かって突出する突起部と、
前記突起部が突設された前記隔壁に形成され、前記突起部が前記端子の箱状電気接触部を係止して前記端子の後抜けを規制する接近位置と離反位置との間で変位可能とする可撓性を有した薄壁部と、
前記突起部が突設された前記隔壁とは異なる他の隔壁に形成され、前記端子の箱状電気接触部を係止して前記端子の後抜けを規制する係止位置と非係止位置との間で変位可能な可撓係止アームと、
を備えることを特徴とするハウジング。
【請求項３】
前記突起部には、前記箱状電気接触部の係止部が端子挿入方向とは反対方向で当接して前記端子の後抜けを規制する係止面が形成され、
前記端子挿入方向と平行な前記隔壁に対して前記係止面が垂直よりも小さい角度で形成される
ことを特徴とする請求項１又は請求項２に記載のハウジング。
【請求項４】
前記ハウジングの一側部には、前記薄壁部における前記突起部とは反対側の裏面が表出し、
前記一側部には、前記薄壁部を覆う外部樹脂壁が形成されている
ことを特徴とする請求項１〜請求項３のいずれか一項に記載のハウジング。
【請求項５】
前記突起部が形成された前記薄壁部の裏側における突起部裏面を除く前記隔壁の裏面と、前記外部樹脂壁とが、樹脂流動部で連結されている
ことを特徴とする請求項４に記載のハウジング。
【請求項６】
前記ハウジングの一側部には、前記薄壁部における前記突起部とは反対側の裏面が表出し、
前記一側部には、前記薄壁部の少なくとも一部を覆い前記ハウジングと嵌合する相手ハウジングとの誤嵌合を防止する誤嵌合防止リブが形成されている
ことを特徴とする請求項１〜請求項３のいずれか一項に記載のハウジング。
【請求項７】
前記箱状電気接触部を挟んで前記突起部が突設された前記隔壁とは反対側の対向側隔壁面には、前記箱状電気接触部の接触部側面に当接するローリング防止リブが形成されている
ことを特徴とする請求項１〜請求項６のいずれか一項に記載のハウジング。
【請求項８】
前記ハウジングの後方には、端末に前記端子が取り付けられて前記端子収容室から引き出された電線を束ねて固定する結束バンドを装着するためのバンド装着部が設けられている
ことを特徴とする請求項１〜請求項７のいずれか一項に記載のハウジング。
【請求項９】
請求項１〜請求項８のいずれか一項に記載のハウジングと、
前記突起部に係止されることにより端子の後抜けを規制する係止部が箱状電気接触部に設けられた端子と、
を備えることを特徴とするコネクタ。
【請求項１０】
請求項２に記載のハウジングと、
前記可撓係止アームに係止されることにより端子の後抜けを規制する他の係止部が箱状電気接触部に設けられた端子と、
を備えることを特徴とするコネクタ。
【発明の詳細な説明】
【技術分野】
【０００１】
本発明は、ハウジング及びコネクタに関する。
【背景技術】
【０００２】
従来、コネクタにおける樹脂製のハウジングは、例えばハウジングのキャビティ（端子収容室）内にランス（可撓係止アーム）を一体的に備えている（特許文献１等参照）。このランスは、全体としては前端側にかけて次第にキャビティ内に張り出すよう、勾配をなす傾斜状に形成されており、キャビティ内への張出部分が、挿入される雌端子金具により押圧されることで突出基端を支点として雌端子金具の挿抜方向と交差する方向へ撓み変形可能とされている。この撓み時にランスは、キャビティ内、若しくはキャビティ外に確保された撓み空間内に退避するようになっている。ランスは、雌端子金具がキャビティ内の所定位置に挿入されると、弾性復帰して雌端子金具を係止することで、雌端子金具の挿入方向と反対方向の離脱（後抜け）を規制する。
【先行技術文献】
【特許文献】
【０００３】
【特許文献１】特開２００４−５５２３３号公報
【発明の概要】
【発明が解決しようとする課題】
【０００４】
しかしながら、従来のコネクタにおけるハウジングは、ランス形状が複雑なため、金型作製が困難で金型作製費が高くなる問題があった。また、金型メンテナンス費用も高くなる問題があった。
また、従来のコネクタにおけるハウジングは、端子金具とランスの掛かり代を確保するため、ランス形成のための空間をキャビティに大きく確保しなければならない。そこで、ハウジングの小型化に不利となり構造が複雑となるという問題があった。  
【０００５】
本発明は上記状況に鑑みてなされたもので、その目的は、ランスを廃止することができ、構造を簡素にできるハウジング及びコネクタを提供することにある。
また、他の目的は、ランスを小型化することができ、構造を簡素にできるハウジング及びコネクタを提供することにある。
【課題を解決するための手段】
【０００６】
本発明に係る上記目的は、下記構成により達成される。
（１）  端子収容室を区画形成するハウジングの隔壁に形成され、前記端子収容室に収容された端子に向かって突出する突起部と、前記突起部が突設された前記隔壁に形成され、前記突起部が前記端子の箱状電気接触部を係止して前記端子の後抜けを規制する接近位置と離反位置との間で変位可能とする可撓性を有した薄壁部と、を備えることを特徴とするハウジング。
【０００７】
上記（１）の構成のハウジングによれば、ハウジングの端子収容室は、四方の隔壁により区画形成され、例えば挿入方向に長い直方体形状とされた端子の箱状電気接触部と略相似形の接触部収容空間が、少なくとも一部分に形成される。端子収容室に挿入された端子は、箱状電気接触部の上下左右の面が、接触部収容空間を区画形成する四方の隔壁に近接する。四方の隔壁のうち一つの隔壁には、端子に向かって突出する突起部が一体成形により突設されている。突起部には、端子の挿入方向に向かって徐々に隔壁から離間する方向に高くなる押圧傾斜面が形成される。突起部は、押圧傾斜面が挿入される端子の箱状電気接触部により押圧されることで、突起部が突設された隔壁に形成された薄壁部を撓ませ、端子収容室の外側へ変位が可能となっている。即ち、隔壁は、薄壁部が設けられることにより、突起部が端子の箱状電気接触部に対して接近位置と離反位置との間で変位することを可能としている。端子は、箱状電気接触部に設けられた係止部が薄壁部に設けられた突起部に係止されることにより、端子の後抜けが規制される。
従って、本構成のハウジングでは、従来の複雑な形状のランスを端子収容室に成形せずに、端子収容室からの端子の後抜けを規制することができる。つまり、本構成のハウジングでは、ランスを廃止できる。ランスに代わる構成は、突起部と、突起部が設けられる隔壁に形成された薄壁部のみとなる。突起部は、隔壁から突出する単純な凸形状とすることができる。薄壁部は、例えば突起部が突設された隔壁の肉厚を他の部分よりも薄くした成形容易な肉薄部として形成することができる。その結果、ハウジングは、ランスの形成スペース、ランスの退避空間を端子収容室に確保する必要がなくなり、ランスを設ける場合に比べ、端子収容室の構造を大幅に簡素化することができる。特に、多数の端子収容室が縦横に並設されるハウジングでは、縦横寸法を大幅に小さく形成することができる。そして、ランスの廃止は、金型の簡素化に繋がる。これにより、本構成のハウジングによれば、ランスを備える従来のハウジングに比べ、金型作製費用、金型メンテナンス費用を削減することができる。
【０００８】
（２）  端子収容室を区画形成するハウジングの隔壁に形成され、前記端子収容室に収容された端子に向かって突出する突起部と、前記突起部が突設された前記隔壁に形成され、前記突起部が前記端子の箱状電気接触部を係止して前記端子の後抜けを規制する接近位置と離反位置との間で変位可能とする可撓性を有した薄壁部と、前記突起部が突設された前記隔壁とは異なる他の隔壁に形成され、前記端子の箱状電気接触部を係止して前記端子の後抜けを規制する係止位置と非係止位置との間で変位可能な可撓係止アームと、を備えることを特徴とするハウジング。
【０００９】
上記（２）の構成のハウジングによれば、ハウジングの端子収容室は、四方の隔壁により区画形成され、例えば挿入方向に長い直方体形状とされた端子の箱状電気接触部と略相似形の接触部収容空間が、少なくとも一部分に形成される。端子収容室に挿入された端子は、箱状電気接触部の上下左右の面が、接触部収容空間を区画形成する四方の隔壁に近接する。
四方の隔壁のうち一つの隔壁には、端子に向かって突出する突起部が一体成形により突設されている。突起部には、端子の挿入方向に向かって徐々に隔壁から離間する方向に高くなる押圧傾斜面が形成される。突起部は、押圧傾斜面が挿入される端子の箱状電気接触部により押圧されることで、突起部が突設された隔壁に形成された薄壁部を撓ませ、端子収容室の外側へ変位が可能となっている。即ち、隔壁は、薄壁部が設けられることにより、突起部が端子の箱状電気接触部に対して接近位置と離反位置との間で変位することを可能としている。更に、四方の隔壁のうち突起部が突設された隔壁とは異なる他の隔壁には、端子を係止する可撓係止アームが形成されている。そこで、端子は、箱状電気接触部に設けられた係止部が薄壁部に設けられた突起部に係止されると共に、箱状電気接触部に設けられた他の係止部が可撓係止アームに係止されることにより、端子の後抜けが規制される。
従って、本構成のハウジングでは、従来の大型のランスを端子収容室に成形せずに、端子収容室からの端子の後抜けを規制することができる。つまり、本構成のハウジングでは、可撓係止アームを小型化できる。その結果、ハウジングは、可撓係止アームの形成スペース及び退避空間を小さくすることができ、大型のランスを設ける場合に比べ、端子収容室の構造を大幅に簡素化してハウジングを小型化することができる。
【００１０】
（３）  前記突起部には、前記箱状電気接触部の係止部が端子挿入方向とは反対方向で当接して前記端子の後抜けを規制する係止面が形成され、前記端子挿入方向と平行な前記隔壁に対して前記係止面が垂直よりも小さい角度で形成されることを特徴とする上記（１）又は（２）に記載のハウジング。
【００１１】
上記（３）の構成のハウジングによれば、係止面が、端子挿入方向と平行な隔壁に対して垂直よりも小さい角度θ（θ＜９０°）で形成される。即ち、係止面は、隔壁からの端子収容室内への張り出し方向先端が、張り出し方向基端よりも挿入方向側へ傾斜した面となる。なお、係止面は、隔壁に対して垂直よりも大きい角度で形成された場合、張り出し方向先端が、張り出し方向基端よりも端子挿入方向とは反対側へ傾斜した面となる。この場合、端子は、後抜け方向の力が加わると、箱状電気接触部の係止部が係止面から外れる方向に滑りやすくなる。つまり、保持力が低下する。
これに対し、本構成のハウジングによれば、係止面の張り出し方向先端が、端子挿入方向側に傾斜しているので、後抜け方向の力が加わると、箱状電気接触部の係止部がより係止面を係止する方向に滑る。その結果、端子の保持力が低下することがない。
【００１２】
（４）  前記ハウジングの一側部には、前記薄壁部における前記突起部とは反対側の裏面が表出し、前記一側部には、前記薄壁部を覆う外部樹脂壁が形成されていることを特徴とする上記（１）〜（３）のいずれか一つに記載に記載のハウジング。
【００１３】
上記（４）の構成のハウジングによれば、端子収容室が形成されたハウジングの一側部に、薄壁部における突起部とは反対側の裏面が表出する。ハウジングの一側部には、この薄壁部の裏面を覆う外部樹脂壁が形成される。これにより、ハウジングは、薄厚で形成することにより強度の低下した薄壁部が外部樹脂壁に覆われ、他部材の接触による薄壁部の破損が抑制される。
【００１４】
（５）  前記突起部が形成された前記薄壁部の裏側における突起部裏面を除く前記隔壁の裏面と、前記外部樹脂壁とが、樹脂流動部で連結されていることを特徴とする上記（４）に記載のハウジング。
【００１５】
上記（５）の構成のハウジングによれば、隔壁の裏面と外部樹脂壁とが、樹脂流動部で連結される。樹脂流動部が連結される裏面は、突起部が形成された薄壁部の裏側である突起部裏面を除く裏面となる。これは、樹脂流動部が突起部裏面に連結されることにより、薄壁部の変形が規制され、突起部が変位しなくなることを回避するためである。
ハウジングの射出成形時には、例えば外部樹脂壁の外面が射出樹脂のゲートとなる。この場合、樹脂流動部が存在しないハウジングの射出成形では、ゲート近くの薄壁部に溶融樹脂が回りにくくなる（ショートショットなどの成形不良が生じやすくなる）。そこで、外部樹脂壁の成形空間を短距離で薄壁部の成形空間へ直結する樹脂流動部が、ハウジングに設けられることにより、ハウジングの射出成形時における薄壁部への樹脂流動性が向上し、薄壁部の成形不良を抑制することができる。
これに加え、樹脂流動部が設けられたハウジングは、この樹脂流動部を境に、金型を端子挿入方向の前後で二分割することができる。二分割された金型では、端子挿入方向に延在する薄壁成形部が二分割されない金型に比べ短尺となる。これにより、二分割された金型の薄壁成形部は、剛性を高めることができる。その結果、樹脂流動部を設けたハウジングによれば、二分割されない長尺の薄壁成形部で生じやすい射出圧力による薄壁成形部の撓みや傾きによる肉厚変動等の成形不良を抑制することができる。
【００１６】
（６）  前記ハウジングの一側部には、前記薄壁部における前記突起部とは反対側の裏面が表出し、前記一側部には、前記薄壁部の少なくとも一部を覆い前記ハウジングと嵌合する相手ハウジングとの誤嵌合を防止する誤嵌合防止リブが形成されていることを特徴とする上記（１）〜（３）のいずれか一つに記載のハウジング。
【００１７】
上記（６）の構成のハウジングによれば、端子収容室が形成されたハウジングの一側部に、薄壁部における突起部とは反対側の裏面が表出する。ハウジングの一側部には、この薄壁部における裏面の少なくとも一部を覆う誤嵌合防止リブが形成される。これにより、ハウジングは、薄厚で形成することにより強度の低下した薄壁部の少なくとも一部が誤嵌合防止リブに覆われ、他部材の接触による薄壁部の破損が抑制される。
また、ハウジングは、誤嵌合防止リブにより、ハウジングと嵌合する相手ハウジングとの誤嵌合が防止される。
従って、誤嵌合防止リブにより薄壁部を覆うハウジングによれば、相手ハウジングとの誤嵌合を防止しながら、専用部位を形成せずに、薄壁部の破損を抑制する効果が得られる。これにより、金型構造を簡易化することができる。
【００１８】
（７）  前記箱状電気接触部を挟んで前記突起部が突設された前記隔壁とは反対側の対向側隔壁面には、前記箱状電気接触部の接触部側面に当接するローリング防止リブが形成されていることを特徴とする上記（１）〜（６）のいずれか一つに記載のハウジング。
【００１９】
上記（７）の構成のハウジングによれば、箱状電気接触部を挟んで前記突起部が突設された隔壁とは反対側の対向側隔壁面に、ローリング防止リブが形成される。ローリング防止リブは、端子収容室に装着された端子における突起部に対向する接触部側面とは反対側の接触部側面に当接する。端子収容室は、接触部収容空間が、端子の箱状電気接触部の外形よりも若干大きく形成されている。このため、箱状電気接触部は、接触部収容空間内において、僅かではあるが移動する。そこで、端子の箱状電気接触部に形成された係止部は、箱状電気接触部が、端子挿入方向の中心軸回りに回転（ローリング）すると、突起部の係止面から外れる方向に移動する。端子は、このローリングにより、突起部の係止面と係止部との係止面積（係り代）が小さくなり、端子保持力の低下が懸念される。
そこで、本構成に係るハウジングでは、突起部が設けられた隔壁とは反対側の対向側隔壁面に、ローリング防止リブが形成されることにより、箱状電気接触部の中心軸回りのローリングが規制されている。端子は、箱状電気接触部のローリングが規制されることにより、係止部と突起部との適正な係止面積が常に確保されるようになる。その結果、本構成のハウジングにおいて、端子の保持信頼性を向上させることができる。
【００２０】
（８）  前記ハウジングの後方には、端末に前記端子が取り付けられて前記端子収容室から引き出された電線を束ねて固定する結束バンドを装着するためのバンド装着部が設けられていることを特徴とする上記（１）〜（７）のいずれか一つに記載のハウジング。
【００２１】
上記（８）の構成のハウジングによれば、端子収容室から引き出された電線は、バンド装着部に装着された結束バンドにより束ねて固定される。そこで、電線が後方に引っ張られた際には、引っ張り力が端末に取り付けられた端子に掛かることを防ぎ、端子の後抜けを規制できる。特に、複数の電線が結束バンドにより束ねて固定されることで、電線の取り回し時に電線１本へ引っ張り力が掛かることを防ぎ、隔壁の突起部に係止された端子の端子抜けを確実に防止することができる。
なお、電線が載置されるバンド装着部は、複数の端子収容室が並設されたハウジングの幅よりも狭い幅の載置面に、結束バンドの結束方向に沿って中央部が凹んだ湾曲支持面が形成されることが望ましい。即ち、ハウジングの幅よりも狭い幅の載置面に湾曲支持面が形成されることで、載置面に載置されて結束バンドで結束された電線束（複数の電線）には、結束バンドにより外周側から均等に締め付け力が作用し、電線束を確実に固定することができる。
【００２２】
（９）  上記（１）〜（８）のいずれか一つに記載のハウジングと、前記突起部に係止されることにより端子の後抜けを規制する係止部が箱状電気接触部に設けられた端子と、を備えることを特徴とするコネクタ。
【００２３】
上記（９）の構成のコネクタによれば、ハウジングの端子収容室に収容された端子は、例えば挿入方向に長い直方体形状とされた箱状電気接触部の上下左右の面が、接触部収容空間を区画形成する端子収容室の四方の隔壁に近接する。四方の隔壁のうち一つの隔壁に一体成形により突設された突起部は、端子の箱状電気接触部により押圧されることで、突起部が突設された隔壁に形成された薄壁部を撓ませ、端子収容室の外側へ変位が可能となっている。端子は、箱状電気接触部の係止部が薄壁部に設けられた突起部に係止されることにより、後抜けが規制される。従って、本構成のコネクタでは、従来の複雑な形状のランスをハウジングの端子収容室に成形せずに、端子収容室からの端子の後抜けが規制される。
【００２４】
（１０）  上記（２）に記載のハウジングと、前記可撓係止アームに係止されることにより端子の後抜けを規制する他の係止部が箱状電気接触部に設けられた端子と、を備えることを特徴とするコネクタ。
【００２５】
上記（１０）の構成のコネクタによれば、ハウジングの端子収容室に収容された端子は、例えば挿入方向に長い直方体形状とされた箱状電気接触部の上下左右の面が、接触部収容空間を区画形成する端子収容室の四方の隔壁に近接する。四方の隔壁のうち一つの隔壁に一体成形により突設された突起部は、端子の箱状電気接触部により押圧されることで、突起部が突設された隔壁に形成された薄壁部を撓ませ、端子収容室の外側へ変位が可能となっている。更に、四方の隔壁のうち突起部が突設された隔壁とは異なる他の隔壁に形成された可撓係止アームは、端子の箱状電気接触部により押圧されることで、非係止位置へ変位が可能となっている。端子は、箱状電気接触部の係止部が薄壁部に設けられた突起部に係止されると共に、箱状電気接触部に設けられた他の係止部が可撓係止アームに係止されることにより、端子の後抜けが規制される。従って、本構成のコネクタでは、従来の大型のランスを端子収容室に成形せずに、端子収容室からの端子の後抜けを規制することができる。
【発明の効果】
【００２６】
本発明に係るハウジング及びコネクタによれば、ランスを廃止することができ、構造を簡素にできる。
また、本発明に係るハウジング及びコネクタによれば、ランスを小型化することができ、構造を簡素にできる。
【００２７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２８】
【図１】本発明の第１実施形態に係るコネクタの分解斜視図である。
【図２】（ａ）は図１に示したハウジングを端子挿入側から見た斜視図、（ｂ）は（ａ）におけるＡ部拡大図、（ｃ）は（ｂ）における端子装着状態の図である。
【図３】（ａ）は図１に示したハウジングを端子挿入側から見た背面図、（ｂ）は（ａ）におけるＢ部拡大図である。
【図４】図１に示したハウジングにおける端子挿入途中の水平断面図である。
【図５】図１に示したハウジングの上段の端子収容室に端子が収容された状態の縦断面図である。
【図６】（ａ）は端子が装着された端子収容室の要部水平断面図、（ｂ）は端子の起立片が係止面に係止された突起部の要部拡大水平断面図である。
【図７】（ａ）は本発明の第２実施形態に係るコネクタのハウジングを端子挿入側から見た斜視図、（ｂ）は（ａ）に示した外部樹脂壁近傍の要部拡大背面図である。
【図８】（ａ）は図７に示したハウジングを端子挿入側から見た背面図、（ｂ）は（ａ）におけるＣ−Ｃ断面図である。
【図９】（ａ）は本発明の第３実施形態に係るコネクタのハウジングを端子挿入側から見た斜視図、（ｂ）は（ａ）の側面図である。
【図１０】（ａ）は図９におけるＤ−Ｄ断面図、（ｂ）は図９におけるＥ−Ｅ断面図である。
【図１１】（ａ）は図９に示したハウジングの変形例１に係るハウジングを端子挿入側から見た斜視図、（ｂ）は（ａ）に示したハウジングの水平断面図である。
【図１２】（ａ）は図９に示したハウジングの変形例２に係るハウジングを端子挿入側から見た斜視図、（ｂ）は（ａ）に示したハウジングを端子挿入側から見た背面図である。
【図１３】（ａ）は図９に示したハウジングの変形例３に係るハウジングを端子挿入側から見た斜視図、（ｂ）は（ａ）に示したハウジングを端子挿入側から見た背面図である。
【図１４】図１３におけるＦ−Ｆ断面図である。
【図１５】（ａ）は本発明の第４実施形態に係るコネクタのハウジングを端子挿入側から見た斜視図、（ｂ）は（ａ）に示した端子収容室の要部拡大図である。
【図１６】（ａ）は図１５に示した端子収容室に端子が装着された状態の拡大背面図、（ｂ）は（ａ）の要部拡大図である。
【図１７】本発明の第５実施形態に係るコネクタの分解斜視図である。
【図１８】斜め上前方より見た端子を（ａ）、斜め上後方より見た端子を（ｂ）に示した斜視図である。
【図１９】図１７に示したハウジングを端子挿入側から見た斜視図及び要部拡大図である。
【図２０】図１７に示したハウジングに端子を装着した状態を端子挿入側から見た背面図及び要部拡大図である。
【図２１】図１７示したハウジングにおける端子挿入途中の水平断面図である。
【図２２】図１７に示したハウジングの上段の端子収容室に端子が収容された状態の縦断面図である。
【図２３】（ａ）は本発明の第６実施形態に係るコネクタの斜視図、（ｂ）は（ａ）に示したハウジングの斜視図である
【図２４】（ａ）は図２３の（ａ）におけるＧ−Ｇ断面図、（ｂ）は図２３の（ａ）に示したハウジングを端子挿入側から見た背面図である。
【図２５】図２３の（ａ）に示したコネクタの縦断面図である。
【発明を実施するための形態】
【００２９】
以下、本発明に係る実施形態を、図面を参照して説明する。
図１は本発明の第１実施形態に係るコネクタ１１の分解斜視図である。
本第１実施形態に係るコネクタ１１は、ハウジング２３の隔壁２１に形成された突起部１３（図２参照）及び薄壁部１５と、端子３１の箱状電気接触部３３に設けられた係止部である起立片１７と、を主要な構成として有する。
【００３０】
突起部１３は、端子収容室１９を区画形成するハウジング２３の隔壁２１に形成される。ハウジング２３は、絶縁性樹脂により一体成形される。本第１実施形態において、ハウジング２３は、複数の端子収容室１９を縦横に配列して有する。図示例のコネクタ１１のハウジング２３には、上下二段、左右に１１個の合計２２個の端子収容室１９が形成されている。なお、コネクタ１１は、端子収容室１９が１個または任意の複数個であってもよい。
【００３１】
ハウジング２３は、外形が扁平な略直方体形状で形成される。ハウジング２３の上面２５には、相手ハウジング（図示略）のロック爪が係止するロック係止面２７を有するロック突起２９が突設されている。
【００３２】
なお、本明細書においては説明の都合上、図１のロック突起２９が設けられる側を上側、その反対側を下側とし、ロック係止面２７が設けられている側を後側、その反対側を前側とする。ハウジング２３に装着される端子３１の端子挿入方向（矢印ａ方向）は、ハウジング２３の後側から前側となる。従って、本明細書中において、前後上下左右の方向は図１に示す矢印の通りとなる。
【００３３】
それぞれの端子収容室１９には、端子３１が装着される。端子３１は、例えば箱状電気接触部３３を挿入方向先端に有した雌端子金具である。なお、端子３１は、雌端子金具に限定されず、雄端子金具であってもよい。箱状電気接触部３３は、外観が挿入方向に長い直方体形状とされる。箱状電気接触部３３の内部には、相手ハウジングに収容される雄端子金具のタブ端子部と導通接触する板ばね片３５（図５参照）が設けられている。端子３１は、箱状電気接触部３３の後方に、導体３７を圧着する導体圧着部３９、電線４１を固定する被覆圧着部４３が連設される。更に、端子３１は、箱状電気接触部３３の一方の側部の後端に、係止部である起立片１７が形成（図１では垂設）される。
【００３４】
図２の（ａ）は図１に示したハウジング２３を端子挿入側から見た斜視図、図２の（ｂ）は図２の（ａ）におけるＡ部拡大図、図２の（ｃ）は図２の（ｂ）における端子装着状態の図である。
ハウジング２３は、例えば左側の外壁部４５に、誤嵌合防止リブ４７が形成される。誤嵌合防止リブ４７は、ハウジング２３が、正規の嵌合姿勢とは上下反転した不正な姿勢で相手ハウジングと嵌合したときに、嵌合挿入動作を規制する。
【００３５】
ハウジング２３に形成されるそれぞれの端子収容室１９は、四方の隔壁により区画形成される。端子収容室１９には、端子３１の箱状電気接触部３３と略相似形の接触部収容空間が、少なくとも一部分に形成される。突起部１３は、これら四方の隔壁のうち、左右方向の一方の隔壁２１に、端子収容室１９に突出して形成される。即ち、突起部１３は、端子収容室１９に収容された端子３１に向かって突出する。本第１実施形態において、突起部１３は、図２に示したそれぞれの端子収容室１９における右側の隔壁２１に配置される。なお、突起部１３は、左側の隔壁に配置されてもよい。但し、突起部１３は、右側または左側いずれか一方の隔壁２１に全てが配置され、左右混在して配置されることはない。
【００３６】
突起部１３には、端子３１の挿入方向に向かって徐々に隔壁２１から離間する方向に高くなる（端子収容室１９内に張り出す）押圧傾斜面４９が形成される。突起部１３は、押圧傾斜面４９とは反対側の面（前側の面）が、端子３１の起立片１７を係止する係止面５１（図６参照）となる。
【００３７】
突起部１３が突設された隔壁２１には、薄壁部１５が形成される。本第１実施形態において、薄壁部１５は、突起部１３が設けられた隔壁２１のほぼ端子収容室１９の全高に亘って形成されている。なお、薄壁部１５は、これよりも狭い範囲で突起部１３の近傍周囲のみに形成されていてもよい。薄壁部１５は、隔壁２１が薄厚となることにより可撓性を有し、突起部１３を端子３１に対して接近離反方向に変位可能とする。即ち、隔壁２１は、可撓性を有する薄壁部１５が設けられることにより、突起部１３が端子３１の箱状電気接触部３３に対して接近位置と離反位置に変位することを可能としている。突起部１３は、押圧傾斜面４９が挿入される端子３１の起立片１７により押圧されることで、突起部１３が突設された隔壁２１に形成された薄壁部１５を撓ませ、接近位置から端子収容室１９の外側（隣接する右側の端子収容室１９側）である離反位置へ変位が可能となっている。
【００３８】
図３の（ａ）は図１に示したハウジング２３を端子挿入側から見た背面図、図３の（ｂ）は図３の（ａ）におけるＢ部拡大図である。
端子３１は、箱状電気接触部３３の後部に、起立片１７が設けられる。起立片１７は、
板金加工により箱状電気接触部３３を形成する際に、展開形状の一部分として設けておくことができる。本第１実施形態においては、この起立片１７として従前のスタビライザが利用される。スタビライザは、端子３１が正規の挿入姿勢とは異なる不正な姿勢で端子収容室１９に挿入されたとき、挿入動作を規制する。係止部である起立片１７は、薄壁部１５に設けられた突起部１３に係止されることにより、端子３１の後抜けを規制する。起立片１７は、突起部１３の係止面５１に対する接触面積を大きくするため、また端子３１の保持強度を確保するために、図３に示すようにＵ字形状に折り曲げられて形成されることが望ましい。
【００３９】
なお、本第１実施形態に係るコネクタ１１では、ハウジング２３の突起部１３に係止されることにより端子３１の後抜けを規制する係止部が、箱状電気接触部３３の後部に設けた起立片１７とされているが、本発明はこれに限定されるものではない。箱状電気接触部３３の係止部は、突起部１３に係止されることにより端子３１の後抜けを規制することができるものであれば、例えば箱状電気接触部３３の後端縁や、箱状電気接触部３３に穿設した係止孔の開口縁など種々の形態を採り得る。
【００４０】
図４は図１に示したハウジング２３における端子挿入途中の水平断面図である。
端子３１は、突起部１３が突設された右側の隔壁２１に形成された薄壁部１５を、右側の端子収容室１９側へ突出するように弾性変形させて装着される。従って、端子３１が挿入される端子収容室１９の右側の端子収容室１９には、端子３１が装着されていないことが要件となる。このため、左右方向に複数の端子収容室１９が並設された本第１実施形態のハウジング２３では、端子３１は左側の端子収容室１９から右側の端子収容室１９に順に装着が行われる。左側の端子収容室１９に装着された端子３１は、隣接する右側の端子収容室１９に端子３１が装着されると、薄壁部１５が右側の端子３１の箱状電気接触部３３に接触して撓まなくなる。これにより、全ての端子３１が装着されたコネクタ１１では、それぞれの突起部１３の変位が規制されることになり、端子３１の抜けが二重に規制されることになる。但し、薄壁部１５の裏面がハウジング２３の一側部５９に表出している最右端の端子収容室１９に装着された端子３１は除く。
【００４１】
図５は図１に示したハウジング２３の上段の端子収容室１９に端子３１が収容された状態の縦断面図である。
端子３１の起立片１７は、ハウジング２３の上下方向に沿う方向で形成されている。起立片１７は、突起部１３の係止面５１に、後端面が接触する。突起部１３の係止面５１は、箱状電気接触部３３から下方に突出した起立片１７の後端面を係止することができる。このため、突起部１３は、上下段の端子収容室１９を区画形成する上下方向の隔壁５３よりも端子収容室１９の上下方向中央側に形成される。即ち、突起部１３は、上下方向の隔壁５３から離間して配置される。突起部１３は、上下方向の隔壁５３から離間して配置されることで、上下方向の隔壁５３に接近して配置される場合よりも、薄壁部１５のより大きな撓み変形を利用できる。即ち、端子挿入時における突起部１３の変位を容易にして、端子３１の挿入作業性を高めることができる。
【００４２】
図６の（ａ）は端子３１が装着された端子収容室１９の要部水平断面図、図６の（ｂ）は端子３１の起立片１７が係止面５１に係止された突起部１３の要部拡大水平断面図である。
本第１実施形態に係るコネクタ１１のハウジング２３では、突起部１３に、係止面５１が形成される。係止面５１は、端子３１の起立片１７が端子挿入方向ａとは反対方向で当接して端子３１の後抜けを規制する。この係止面５１は、図６に示す水平断面において、端子挿入方向ａと平行な隔壁２１（本第１実施形態では薄壁部１５）に対して垂直よりも小さい角度θの挟角を成して形成される（θ＜９０°）。
【００４３】
次に、上記した本第１実施形態に係るハウジング２３及びコネクタ１１の作用を説明する。
本第１実施形態に係るコネクタ１１では、複数の端子収容室１９が、ハウジング２３に形成される。端子収容室１９には、端子３１が装着される。端子３１は、挿入方向先端に箱状電気接触部３３を有する雌端子金具となる。箱状電気接触部３３は、外観が挿入方向に長い直方体形状となる。このため、箱状電気接触部３３を収容する端子収容室１９には、四方の隔壁により区画形成され、箱状電気接触部３３と略相似形の接触部収容空間が、少なくとも一部分に形成される。
【００４４】
ハウジング２３の端子収容室１９に挿入された端子３１は、箱状電気接触部３３の上下左右の面が、接触部収容空間を区画形成する四方の隔壁（左右方向の隔壁２１及び上下方向の隔壁５３等）に近接する。端子収容室１９は、四方の隔壁のうち一つの隔壁２１には、端子収容室１９に収容された端子３１に向かって突出する突起部１３が一体成形により突設されている。つまり、四方の隔壁は、そのうちの一つの隔壁２１が、突起部付隔壁となっている。
【００４５】
突起部１３は、端子３１の挿入方向に向かって徐々に隔壁２１から離間する方向に高くなる（端子収容室１９内に張り出す）押圧傾斜面４９が形成される。突起部１３は、押圧傾斜面４９が挿入される端子３１の起立片１７により押圧されることで、突起部１３が突設された隔壁２１に形成された薄壁部１５を撓ませ、端子収容室１９の外側へ変位が可能となっている。
【００４６】
即ち、隔壁２１は、薄壁部１５が設けられることにより、突起部１３が端子３１の箱状電気接触部３３を係止して端子の後抜けを規制する接近位置と、突起部１３が端子３１の箱状電気接触部３３に対して離反する離反位置との間で変位することを可能としている。この薄壁部１５の変位は、弾性限度内の変形であることが望ましい。突起部１３は、端子３１の係止手段として機能する。このため、薄壁部１５の変位を弾性限度内とすることは、薄壁部１５が塑性変形し、端子３１との掛かり代が減少することを回避できる。
【００４７】
端子３１の箱状電気接触部３３には、起立片１７が設けられる。起立片１７は、薄壁部１５に設けられた突起部１３に係止されることにより、端子３１の後抜けを規制する。
即ち、端子３１は、箱状電気接触部３３が接触部収容空間に達すると、突起部１３に起立片１７が当接する。端子３１は、更に挿入されると、起立片１７が突起部１３の押圧傾斜面４９を押圧する。突起部１３は、端子３１の起立片１７に押圧されることにより、薄壁部１５を端子収容室１９の外側へ変位させ、箱状電気接触部３３の進行経路の外側へ押し退けられる。この押し退けは、箱状電気接触部３３の後方に連設された起立片１７が、突起部１３を通過するまで行われる。端子３１は、箱状電気接触部３３が接触部収容空間の正規位置まで進入すると、起立片１７が突起部１３を通過する。突起部１３は、起立片１７が通過することにより、起立片１７からの押圧力が解除される。押圧力の解除された突起部１３は、薄壁部１５の弾性復元力により、再び端子収容室１９の内方へ突出することで、起立片１７の後端面を係止する。これにより、端子３１は、起立片１７が突起部１３の係止面５１に係止されて後抜けが規制され、端子収容室１９への装着が完了する。
【００４８】
突起部１３に係止された端子３１は、突起部若しくは隔壁２１の破壊以外には、端子収容室１９から容易に離脱しない。端子３１は、端子収容室１９に造りつけされたのと同様に、取り外しが不能となる。つまり、端子３１は、端子収容室１９に嵌め殺し状態で固定される。
【００４９】
従って、本第１実施形態に係るハウジング２３及びコネクタ１１では、従来の複雑な形状のランスを端子収容室１９に成形せずに、端子収容室１９からの端子３１の後抜けを規制することができる。つまり、本第１実施形態のハウジング２３及びコネクタ１１では、ランスを廃止できる。ランスに代わる構成は、突起部１３と、突起部１３が設けられる隔壁２１に形成された薄壁部１５のみとなる。突起部１３は、隔壁２１から突出する単純な凸形状とすることができる。薄壁部１５は、突起部１３が突設された隔壁２１の肉厚を他の部分よりも薄くした成形容易な肉薄部として形成することができる。
【００５０】
その結果、ランスの形成スペース、ランスの退避空間を端子収容室１９に確保する必要がなくなり、ランスを設ける場合に比べ、端子収容室１９の構造を大幅に簡素化することができる。特に、多数の端子収容室１９が縦横に並設されるコネクタ１１では、ハウジング２３の縦横寸法を大幅に小さく形成することができる。
【００５１】
そして、ランスの廃止は、金型の簡素化に繋がる。これにより、本第１実施形態のハウジング２３及びコネクタ１１では、ランスを備える従来のハウジング及びコネクタに比べ、金型作製費用、金型メンテナンス費用を削減することができる。
【００５２】
また、本第１実施形態のハウジング２３及びコネクタ１１では、係止面５１が、端子挿入方向と平行な隔壁２１に対して垂直よりも小さい角度θ（θ＜９０°）で形成される。即ち、係止面５１は、隔壁２１からの端子収容室１９内への張り出し方向先端が、張り出し方向基端よりも挿入方向側へ傾斜した面となる。なお、係止面５１は、隔壁２１に対して垂直よりも大きい角度で形成された場合、張り出し方向先端が、張り出し方向基端よりも端子挿入方向とは反対側へ傾斜した面となる。この場合、端子３１は、後抜け方向の力が加わると、起立片１７が係止面５１から外れる方向に滑りやすくなる。つまり、保持力が低下する。
【００５３】
これに対し、本第１実施形態のハウジング２３及びコネクタ１１では、係止面５１の張り出し方向先端が、端子挿入方向側に傾斜しているので、後抜け方向の力が加わると、起立片１７がより係止面５１に係止する方向に滑る。その結果、端子３１の保持力が低下することがない。
【００５４】
図７の（ａ）は本発明の第２実施形態に係るコネクタのハウジング５５を端子挿入側から見た斜視図、図７の（ｂ）は図７の（ａ）に示した外部樹脂壁５７近傍の要部拡大背面図である。なお、上記第１実施形態に係るハウジング２３及びコネクタ１１と同様の構成については、同符号を付して詳細な説明は省略する。
【００５５】
本第２実施形態に係るコネクタは、図７に示すように、端子収容室１９が設けられる樹脂製のハウジング５５に、外部樹脂壁５７が形成されている。図１に示したハウジング２３では、一側部５９に、薄壁部１５の裏面が表出している。これに対し、本第２実施形態に係るハウジング５５は、外部樹脂壁５７が一側部５９に形成され、薄壁部１５の裏面が外部樹脂壁５７により覆われている。
【００５６】
また、本第２実施形態に係るコネクタのハウジング５５では、隔壁２１と外部樹脂壁５７との間に、樹脂流動部６１が形成される。樹脂流動部６１は、突起部１３が形成された薄壁部１５の裏側における突起部裏面を除く隔壁２１の裏面と、外部樹脂壁５７とを、連結する。
【００５７】
図８の（ａ）は図７に示したハウジング５５を端子挿入側から見た背面図、図８の（ｂ）は図８の（ａ）におけるＣ−Ｃ断面図である。
樹脂流動部６１は、図８に示すように、端子収容室１９における前後方向の略中央に配置される。また、樹脂流動部６１は、突起部１３に対して後方にずれて配置される。ハウジング５５における樹脂流動部６１の後方側には、成形時のボイドやひけ等による成形不良を抑制するための肉抜き部６３が形成されている。
【００５８】
本第２実施形態のハウジング５５では、端子収容室１９が形成されたハウジング５５の一側部５９に、薄壁部１５における突起部１３とは反対側の裏面が表出する。ハウジング５５には、この薄壁部１５の裏面を覆う外部樹脂壁５７が、一側部５９に形成される。これにより、ハウジング５５は、薄厚で形成することにより強度の低下した薄壁部１５が外部樹脂壁５７に覆われ、他部材の接触による薄壁部１５の破損が抑制される。
【００５９】
また、本第２実施形態のハウジング５５では、隔壁２１の裏面と外部樹脂壁５７とが、樹脂流動部６１で連結される。樹脂流動部６１が連結される裏面は、突起部１３が形成された薄壁部１５の裏側である突起部裏面を除く裏面となる。これは、樹脂流動部６１が突起部裏面に連結されることにより、薄壁部１５の変形が規制され、突起部１３が変位しなくなることを回避するためである。
【００６０】
ハウジング５５の射出成形時には、例えば図８の（ｂ）に示した外部樹脂壁５７の外面が射出樹脂のゲート６５となる。この場合、樹脂流動部６１が存在しないハウジングの射出成形では、ゲート６５近くの薄壁部１５に溶融樹脂が回りにくくなる（ショートショットなどの成形不良が生じやすくなる）。そこで、ハウジング５５では、外部樹脂壁５７の成形空間を短距離で薄壁部１５の成形空間へ直結する樹脂流動部６１が、ハウジング５５に設けられることにより、ハウジング５５の射出成形時における薄壁部１５への樹脂流動性が向上し、薄壁部１５の成形不良を抑制することができる。
【００６１】
これに加え、樹脂流動部６１が設けられたハウジング５５は、この樹脂流動部６１を境に、金型を端子挿入方向の前後で二分割することができる。二分割された金型では、端子挿入方向に延在する薄壁成形部が二分割されない金型に比べ短尺となる。これにより、二分割された金型の薄壁成形部は、剛性を高めることができる。その結果、樹脂流動部６１を設けたハウジング５５では、二分割されない長尺の薄壁成形部で生じやすい射出圧力による薄壁成形部の撓みや傾きによる肉厚変動等の成形不良を抑制することができる。
【００６２】
図９の（ａ）は本発明の第３実施形態に係るコネクタのハウジング６７を端子挿入側から見た斜視図、図９の（ｂ）は図９の（ａ）の側面図である。
本第３実施形態に係るコネクタは、図９に示すように、端子収容室１９が設けられる樹脂製のハウジング６７に、誤嵌合防止リブ４７が形成されている。図１に示した第１実施形態に係るハウジング２３では、一側部５９に、薄壁部１５における突起部１３とは反対側の裏面が表出する。これに対し、本第３実施形態に係るハウジング６７は、薄壁部１５の少なくとも一部を覆う誤嵌合防止リブ４７が一側部５９に形成され、薄壁部１５における裏面の一部が誤嵌合防止リブ４７により覆われている。
【００６３】
図１０の（ａ）は図９におけるＤ−Ｄ断面図、図１０の（ｂ）は図９におけるＥ−Ｅ断面図である。図１１の（ａ）は図９に示したハウジング６７の変形例１に係るハウジング６９を端子挿入側から見た斜視図、図１１の（ｂ）は図１１の（ａ）に示したハウジング６９の水平断面図である。
【００６４】
本第３実施形態に係る誤嵌合防止リブ４７は、図１０に示すように、一側部５９の下段前側の薄壁部１５を覆っている。一側部５９におけるその他の薄壁部１５は、表出している。本第３実施形態では、特に一側部５９の下段前側の薄壁部１５に他部材が干渉する確率の高いコネクタの使用形態において、小さい誤嵌合防止リブ４７（少ない射出樹脂材）で効果的に薄壁部１５を保護することができる。これにより、他部材の接触による薄壁部１５の破損が抑制される。
【００６５】
従って、誤嵌合防止リブ４７により薄壁部１５を覆う本第３実施形態のハウジング６７では、相手ハウジングとの誤嵌合を防止しながら、専用部位を形成せずに、薄壁部１５の破損を抑制する効果が得られる。このため、金型構造を簡易化することができる。
【００６６】
本第３実施形態に係るコネクタの変形例１に係るハウジング６９は、図１１に示すように、薄壁部１５の少なくとも一部を覆う誤嵌合防止リブ４７が一側部５９に形成され、薄壁部１５における裏面の一部が誤嵌合防止リブ４７により覆われている。この変形例１に係る誤嵌合防止リブ４７は、一側部５９の上下段前側の薄壁部１５を覆っている。一側部５９におけるその他の薄壁部１５は、表出している。この変形例１では、特に一側部５９の上下段前側の薄壁部１５に他部材が干渉する確率の高いコネクタの使用形態において、小さい誤嵌合防止リブ４７（少ない射出樹脂材）で効果的に薄壁部１５を保護することができる。
【００６７】
図１２の（ａ）は図９に示したコネクタの変形例２に係るハウジング７１を端子挿入側から見た斜視図、図１２の（ｂ）は図１２の（ａ）に示したハウジング７１を端子挿入側から見た背面図である。
この変形例２に係るハウジング７１は、図１２に示すように、薄壁部１５の少なくとも一部を覆う誤嵌合防止リブ４７が一側部５９に形成され、薄壁部１５における裏面の一部が誤嵌合防止リブ４７により覆われている。この変形例２に係る誤嵌合防止リブ４７は、一側部５９の下段の薄壁部１５を覆っている。一側部５９におけるその他の薄壁部１５は、表出している。この変形例２では、特に一側部５９の下段の薄壁部１５に他部材が干渉する確率の高いコネクタの使用形態において、小さい誤嵌合防止リブ４７（少ない射出樹脂材）で効果的に薄壁部１５を保護することができる。
【００６８】
図１３の（ａ）は図９に示したコネクタの変形例３に係るハウジング７３を端子挿入側から見た斜視図、図１３の（ｂ）は図１３の（ａ）に示したハウジング７３を端子挿入側から見た背面図である。図１４は図１３におけるＦ−Ｆ断面図である。
この変形例３に係るハウジング７３は、図１３及び図１４に示すように、薄壁部１５の全てを覆う誤嵌合防止リブ４７が一側部５９に形成され、薄壁部１５における裏面の全てが誤嵌合防止リブ４７により覆われている。この変形例３に係る誤嵌合防止リブ４７は、一側部５９の上下段前後の全ての薄壁部１５を覆っている。一側部５９では、その他に薄壁部１５は、表出していない。この変形例３では、特に一側部５９の全体における薄壁部１５に他部材が干渉する確率の高いコネクタの使用形態において、薄壁部１５を確実に保護することができる。
【００６９】
図１５の（ａ）は本発明の第４実施形態に係るコネクタのハウジング７５を端子挿入側から見た斜視図、図１５の（ｂ）は図１５の（ａ）に示した端子収容室１９の要部拡大図である。図１６の（ａ）は図１５に示した端子収容室１９に端子３１が装着された状態の拡大背面図、図１６の（ｂ）は図１６の（ａ）の要部拡大図である。
【００７０】
本第４実施形態に係るコネクタのハウジング７５は、箱状電気接触部３３を挟んで突起部１３が突設された隔壁２１とは反対側の対向側隔壁面７７に、箱状電気接触部３３の接触部側面８０（図１６参照）に当接するローリング防止リブ８１が形成される。ローリング防止リブ８１は、端子挿入方向に延在する上下一対の突条リブを平行に形成することができる。
【００７１】
本第４実施形態に係るコネクタのハウジング７５では、上下一対のローリング防止リブ８１が、端子収容室１９に装着された端子３１における突起部１３に対向する接触部側面７９とは反対側の接触部側面８０に当接する。端子収容室１９は、接触部収容空間が、端子３１の箱状電気接触部３３の外形よりも若干大きく形成されている。このため、箱状電気接触部３３は、接触部収容空間内において、僅かではあるが移動する。そこで、端子３１の箱状電気接触部３３に形成された起立片１７は、箱状電気接触部３３が、端子挿入方向の中心軸回りに回転（ローリング）すると、突起部１３の係止面５１から外れる方向に移動する。端子３１は、このローリングにより、突起部１３の係止面５１と起立片１７との係止面積（係り代）が小さくなり、端子保持力の低下が懸念される。
【００７２】
そこで、本第４実施形態に係るコネクタのハウジング７５では、突起部１３が設けられた隔壁２１とは反対側の対向側隔壁面７７に、上下一対のローリング防止リブ８１が形成されることにより、箱状電気接触部３３の中心軸回りのローリングが規制されている。端子３１は、箱状電気接触部３３のローリングが規制されることにより、起立片１７と突起部１３との適正な係止面積が常に確保されるようになる。その結果、本第４実施形態に係るコネクタにおいて、端子３１の保持信頼性を向上させることができる。
【００７３】
また、ローリング防止リブ８１は、端子３１のがた詰め効果も有する。ローリング防止リブ８１は、延在方向に直交する断面が十分小さく設定されていることにより、端子挿入時の箱状電気接触部３３から受ける力によりある程度の塑性変形が可能となる。これにより、寸法公差により生じている対向側隔壁面７７と箱状電気接触部３３とのクリアランスを、それぞれのコネクタに応じて、がた詰めすることができる。これにより、端子３１の保持構造の信頼性を向上させることができる。
【００７４】
また、本第４実施形態に係るコネクタのハウジング７５は、端子３１がローリング防止リブ８１によりがた詰めされることにより、各端子収容室１９の薄壁部１５が突起部１３の係止解除方向に変位しにくくなる。これによっても本第４実施形態に係るコネクタのハウジング７５は、全ての端子３１の保持信頼性を向上させることができる。
【００７５】
従って、本第４実施形態に係るハウジング７５及びコネクタ１１によれば、ランスを廃止することができ、構造を簡素にできる。
【００７６】
図１７は本発明の第５実施形態に係るコネクタ１１Ａの分解斜視図である。図１８は斜め上前方より見た端子３１を（ａ）、斜め上後方より見た端子３１を（ｂ）に示した斜視図である。図１９は図１７に示したハウジング９１を端子挿入側から見た斜視図及び要部拡大図である。図２０は図１７に示したハウジング９１に端子３１を装着した状態（電線４１を図示省略）を端子挿入側から見た背面図及び要部拡大図である。
なお、上記第１実施形態に係るコネクタ１１と同様の構成部材については、同符号を付して詳細な説明を省略する。
【００７７】
本第５実施形態に係るコネクタ１１Ａは、ハウジング９１の隔壁２１に形成された突起部１３（図１９参照）及び薄壁部１５と、突起部１３が突設された隔壁２１とは異なる他の隔壁５３に形成された可撓係止アーム１６と、端子３１の箱状電気接触部３３に設けられた係止部である起立片１７と、端子３１の箱状電気接触部３３に設けられた他の係止部である係止突起１８と、を主要な構成として有する。
【００７８】
ハウジング９１は、図１７に示すように、外形が扁平な略直方体形状で形成され、複数の端子収容室１９を縦横に配列して有する。図示例のコネクタ１１Ａのハウジング９１には、上下二段、左右に１１個の合計２２個の端子収容室１９が形成されている。ハウジング９１の上面２５の左右には、相手コネクタとの嵌合をガイドする前後方向に延在して起立するガイド突起４８が突設される。
【００７９】
それぞれの端子収容室１９には、端子３１が装着される。端子３１は、例えば箱状電気接触部３３を挿入方向先端に有した雌端子金具である。箱状電気接触部３３は、図１８に示すように、外観が挿入方向に長い直方体形状とされる。箱状電気接触部３３の内部には、相手ハウジングに収容される雄端子金具のタブ端子部と導通接触する板ばね片３５が設けられている。端子３１は、箱状電気接触部３３の後方に、導体３７を圧着する導体圧着部３９、電線４１を固定する被覆圧着部４３が連設される。更に、端子３１は、箱状電気接触部３３の一方の側部の後端に、係止部である起立片１７が形成されると共に、箱状電気接触部３３の一方の側部の前方に、他の係止部である係止突起１８が形成される。
【００８０】
ハウジング９１に形成されるそれぞれの端子収容室１９は、四方の隔壁により区画形成される。端子収容室１９には、端子３１の箱状電気接触部３３と略相似形の接触部収容空間が、少なくとも一部分に形成される。突起部１３は、これら四方の隔壁のうち、左右方向の一方の隔壁２１に、端子収容室１９に突出して形成される。即ち、突起部１３は、端子収容室１９に収容された端子３１に向かって突出する。また、これら四方の隔壁のうち上下方向の一方の隔壁５３には、前端側にかけて次第に端子収容室１９内に張り出すように傾斜する片持ち梁状の可撓係止アーム１６が形成される。本第５実施形態において、可撓係止アーム１６は、図１９に示したそれぞれの端子収容室１９における下側の隔壁５３に配置される。なお、可撓係止アーム１６は、上側の隔壁に配置されてもよい。但し、可撓係止アーム１６は、上側または下側いずれか一方の隔壁５３に全てが配置され、左右混在して配置されることはない。
【００８１】
可撓係止アーム１６は、端子３１の箱状電気接触部３３に対して係止位置と非係止位置に変位することを可能としている。可撓係止アーム１６は、自由端が挿入される端子３１の係止突起１８により押圧されることで、可撓係止アーム１６を撓ませ、係止位置から端子収容室１９の下側である非係止位置へ変位が可能となっている。
【００８２】
端子３１は、箱状電気接触部３３の前方に、係止突起１８が設けられる。係止突起１８は、板金加工により箱状電気接触部３３を形成する際に、天壁にプレス加工して設けておくことができる。他の係止部である係止突起１８は、隔壁５３に設けられた可撓係止アーム１６に係止されることにより、端子３１の後抜けを規制する。
【００８３】
なお、本第５実施形態に係るコネクタ１１Ａでは、ハウジング９１の可撓係止アーム１６に係止されることにより端子３１の後抜けを規制する他の係止部が、箱状電気接触部３３の前方に設けた係止突起１８とされているが、本発明はこれに限定されるものではない。箱状電気接触部３３の他の係止部は、可撓係止アーム１６に係止されることにより端子３１の後抜けを規制することができるものであれば、例えば箱状電気接触部３３に穿設した係止孔の開口縁など種々の形態を採り得る。
【００８４】
図２１は図１７示したハウジング９１における端子挿入途中の水平断面図である。図２２は図１７に示したハウジング９１の上段の端子収容室１９に端子３１が収容された状態の縦断面図である。
端子３１は、突起部１３が突設された右側の隔壁２１に形成された薄壁部１５を、右側の端子収容室１９側へ突出するように弾性変形させると共に、隔壁５３に設けられた可撓係止アーム１６を、端子収容室１９の下側へ撓ませて装着される。従って、端子３１が挿入される端子収容室１９の右側の端子収容室１９には、端子３１が装着されていないことが要件となる。このため、左右方向に複数の端子収容室１９が並設された本第５実施形態のハウジング９１においても、上記第１実施形態のハウジング２３と同様に、端子３１は左側の端子収容室１９から右側の端子収容室１９に順に装着が行われる。
【００８５】
次に、上記した本第５実施形態に係るハウジング９１及びコネクタ１１Ａの作用を説明する。
本第５実施形態に係るコネクタ１１Ａでは、ハウジング９１の端子収容室１９は、四方の隔壁により区画形成され、挿入方向に長い直方体形状とされた端子３１の箱状電気接触部３３と略相似形の接触部収容空間が、少なくとも一部分に形成される。
【００８６】
ハウジング９１の端子収容室１９に挿入された端子３１は、箱状電気接触部３３の上下左右の面が、接触部収容空間を区画形成する四方の隔壁（左右方向の隔壁２１及び上下方向の隔壁５３等）に近接する。端子収容室１９は、四方の隔壁のうち一つの隔壁２１には、端子３１に向かって突出する突起部１３が一体成形により突設されている。
突起部１３には、端子３１の挿入方向ａに向かって徐々に隔壁２１から離間する方向に高くなる押圧傾斜面４９が形成される。突起部１３は、押圧傾斜面４９が挿入される端子３１の起立片１７により押圧されることで、突起部１３が突設された隔壁２１に形成された薄壁部１５を撓ませ、端子収容室１９の外側へ変位が可能となっている。
【００８７】
即ち、隔壁２１は、薄壁部１５が設けられることにより、突起部１３が端子３１の箱状電気接触部３３を係止して端子の抜けを規制する接近位置と、突起部１３が端子３１の箱状電気接触部３３に対して離反する離反位置との間で変位することを可能としている。
更に、四方の隔壁のうち突起部１３が突設された隔壁２１とは異なる他の隔壁５３には、端子３１を係止する可撓係止アーム１６が形成されている。そこで、端子３１は、箱状電気接触部３３に設けられた起立片１７が薄壁部１５に設けられた突起部１３に係止されると共に、箱状電気接触部３３に設けられた係止突起１８が可撓係止アーム１６に係止されることにより、端子３１の後抜けが規制される。
【００８８】
従って、本構成のハウジング９１では、従来の大型のランスを端子収容室１９に成形せずに、端子収容室１９からの端子の後抜けを規制することができる。つまり、本構成のハウジング９１では、可撓係止アーム１６を小型化できる。その結果、ハウジング９１は、可撓係止アーム１６の形成スペース及び退避空間を小さくすることができ、大型のランスを設ける場合に比べ、端子収容室１９の構造を大幅に簡素化してハウジング９１を小型化することができる。
【００８９】
図２３の（ａ）は本発明の第６実施形態に係るコネクタ１１Ｂの斜視図、図２３の（ｂ）は図２３の（ａ）に示したハウジング９５の斜視図である。図２４の（ａ）は図２３の（ａ）におけるＧ−Ｇ断面図、図２４の（ｂ）は図２３の（ａ）に示したハウジング９５を端子挿入側から見た背面図である。図２５は図２３の（ａ）に示したコネクタ１１Ｂの縦断面図である。
なお、上記第１実施形態に係るコネクタ１１と同様の構成部材については、同符号を付して詳細な説明を省略する。
【００９０】
本第６実施形態に係るコネクタ１１Ｂは、ハウジング９５の隔壁２１に形成された突起部１３（図２４参照）及び薄壁部１５と、ハウジング９５の後方に設けられたバンド装着部と、端子３１の箱状電気接触部３３に設けられた係止部である起立片１７と、を主要な構成として有する。
【００９１】
ハウジング９５は、図２３の（ａ），（ｂ）に示すように、外形が扁平な略直方体形状で形成され、複数の端子収容室１９を縦横に配列して有する。更に、ハウジング９５における下方向の隔壁５３の後方には、端末に端子３１が取り付けられて端子収容室１９から引き出された電線４１を束ねて固定する結束バンド１００を装着するためのバンド装着部９７が一体形成されている。
【００９２】
ハウジング９５に形成されるそれぞれの端子収容室１９は、四方の隔壁により区画形成される。突起部１３は、これら四方の隔壁のうち、左右方向の一方の隔壁２１に、端子収容室１９に突出して形成されている。
ハウジング９５の下方向の隔壁５３から後方に延出されたバンド装着部９７は、複数の端子収容室１９が並設されたハウジング９５と同じ幅を有する幅広の基部から先端部に向かって徐々に幅が狭くなる略台形の板状に形成されている。そして、複数の端子収容室１９が並設されたハウジング９５の幅よりも狭い幅の載置面９８には、図２４の（ａ）に示すように、結束バンド１００の結束方向（端子収容室１９から引き出された電線４１と直交する方向）に沿って中央部が凹んだ湾曲支持面が形成されている。
【００９３】
そして、複数の端子収容室１９から引き出された複数の電線４１は、バンド装着部９７の載置面９８に載置された後、バンド装着部９７に装着された結束バンド１００により束ねて固定される。
図２４の（ｂ）に示すように、ハウジング９５の幅よりも狭い幅の載置面９８に湾曲支持面が形成されることで、載置面９８に載置されて結束バンド１００で結束された電線束（複数の電線４１）には、結束バンド１００により外周側から均等に締め付け力が作用し、電線束を確実に固定することができる。
【００９４】
次に、上記した本第６実施形態に係るハウジング９５の作用を説明する。
本第６実施形態に係るハウジング９５によれば、端子収容室１９から引き出された複数の電線４１は、バンド装着部９７に装着された結束バンド１００により束ねて固定される。そこで、電線４１が後方に引っ張られた際には、引っ張り力が端末に取り付けられた端子３１に掛かることを防ぎ、端子の後抜けを規制できる。特に、複数の電線４１が結束バンド１００により束ねて固定されることで、電線４１の取り回し時に電線１本へ引っ張り力が掛かることを防ぎ、隔壁２１の突起部１３に係止された端子３１の端子抜けを確実に防止することができる。
【００９５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００９６】
ここで、上述した本発明に係るハウジング及びコネクタの実施形態の特徴をそれぞれ以下［１］〜［１０］に簡潔に纏めて列記する。
［１］  端子収容室（１９）を区画形成するハウジング（２３，５５，６７，６９，７１，７５，９１，９５）の隔壁（２１）に形成され、前記端子収容室に収容された端子（３１）に向かって突出する突起部（１３）と、
前記突起部が突設された前記隔壁に形成され、前記突起部が前記端子の箱状電気接触部（３３）を係止して前記端子の後抜けを規制する接近位置と離反位置との間で変位可能とする可撓性を有した薄壁部（１５）と、
を備えることを特徴とするハウジング（２３，５５，６７，６９，７１，７５，９１，９５）。
［２］  端子収容室（１９）を区画形成するハウジング（９１）の隔壁（２１）に形成され、前記端子収容室に収容された端子（３１）に向かって突出する突起部（１３）と、
前記突起部が突設された前記隔壁に形成され、前記突起部が前記端子の箱状電気接触部（３３）を係止して前記端子の後抜けを規制する接近位置と離反位置との間で変位可能とする可撓性を有した薄壁部（１５）と、
前記突起部が突設された前記隔壁（２１）とは異なる他の隔壁（５３）に形成され、前記端子の箱状電気接触部（３３）を係止して前記端子の後抜けを規制する係止位置と非係止位置との間で変位可能な可撓係止アーム（１６）と、
を備えることを特徴とするハウジング（９１）。
［３］  前記突起部（１３）には、前記箱状電気接触部（３３）の係止部（起立片１７）が端子挿入方向（ａ）とは反対方向で当接して前記端子（３１）の後抜けを規制する係止面（５１）が形成され、
前記端子挿入方向と平行な前記隔壁（２１）に対して前記係止面が垂直よりも小さい角度で形成される
ことを特徴とする上記［１］又は［２］に記載のハウジング（２３，５５，６７，６９，７１，７５，９１，９５）。
［４］  前記ハウジング（５５）の一側部（５９）には、前記薄壁部（１５）における前記突起部（１３）とは反対側の裏面が表出し、
前記一側部には、前記薄壁部を覆う外部樹脂壁（５７）が形成されている
ことを特徴とする上記［１］〜［３］のいずれか一つに記載のハウジング（５５）。
［５］  前記突起部（１３）が形成された前記薄壁部（１５）の裏側における突起部裏面を除く前記隔壁（２１）の裏面と、前記外部樹脂壁（５７）とが、樹脂流動部（６１）で連結されている
ことを特徴とする上記［４］に記載のハウジング（５５）。
［６］  前記ハウジング（６７，６９，７１，７５）の一側部（５９）には、前記薄壁部（１５）における前記突起部（１３）とは反対側の裏面が表出し、
前記一側部には、前記薄壁部の少なくとも一部を覆い前記ハウジングと嵌合する相手ハウジングとの誤嵌合を防止する誤嵌合防止リブ（４７）が形成されている
ことを特徴とする上記［１］〜［３］のいずれか一つに記載のハウジング（６７，６９，７１，７５）。
［７］  前記箱状電気接触部（３３）を挟んで前記突起部（１３）が突設された前記隔壁（２１）とは反対側の対向側隔壁面（７７）には、前記箱状電気接触部の接触部側面（７９）に当接するローリング防止リブ（８１）が形成されている
ことを特徴とする上記［１］〜［６］のいずれか一つに記載のハウジング（７５）。
［８］  前記ハウジング（９５）の後方には、端末に前記端子（３１）が取り付けられて前記端子収容室（１９）から引き出された電線（４１）を束ねて固定する結束バンド（１００）を装着するためのバンド装着部（９７）が設けられていることを特徴とする上記［１］〜［７］のいずれか一つに記載のハウジング（９５）。
［９］  上記［１］〜［８］のいずれか一つに記載のハウジング（２３，５５，６７，６９，７１，７５，９１，９５）と、
前記突起部（１３）に係止されることにより端子の後抜けを規制する係止部（起立片１７）が箱状電気接触部（３３）に設けられた端子（３１）と、を備えることを特徴とするコネクタ（１１，１１Ａ，１１Ｂ）。
［１０］  上記［２］に記載のハウジング（９１）と、
前記可撓係止アーム（１６）に係止されることにより端子の後抜けを規制する他の係止部（係止突起１８）が箱状電気接触部（３３）に設けられた端子（３１）と、を備えることを特徴とするコネクタ（１１Ａ）。
【符号の説明】
【００９７】
１１…コネクタ
１３…突起部
１５…薄壁部
１７…起立片（係止部）
１９…端子収容室
２１…隔壁
２３…ハウジング
３１…端子
３３…箱状電気接触部
４７…誤嵌合防止リブ
５１…係止面
ａ…端子挿入方向
【図１】
2020126826.tif 000003
【図２】
2020126826.tif 000004
【図３】
2020126826.tif 000005
【図４】
2020126826.tif 000006
【図５】
2020126826.tif 000007
【図６】
2020126826.tif 000008
【図７】
2020126826.tif 000009
【図８】
2020126826.tif 000010
【図９】
2020126826.tif 000011
【図１０】
2020126826.tif 000012
【図１１】
2020126826.tif 000013
【図１２】
2020126826.tif 000014
【図１３】
2020126826.tif 000015
【図１４】
2020126826.tif 000016
【図１５】
2020126826.tif 000017
【図１６】
2020126826.tif 000018
【図１７】
2020126826.tif 000019
【図１８】
2020126826.tif 000020
【図１９】
2020126826.tif 000021
【図２０】
2020126826.tif 000022
【図２１】
2020126826.tif 000023
【図２２】
2020126826.tif 000024
【図２３】
2020126826.tif 000025
【図２４】
2020126826.tif 000026
【図２５】
2020126826.tif 000027